(57)【要約】      （修正有）【課題】  調理釜の蓋体を効率良く洗浄でき、且つ、床面に洗浄水が撒水されないようにして乾燥床面を維持できる調理釜における蓋取付装置を提供する。【解決手段】  調理釜において、蓋体１４の上面中心部に支点を設け、該支点に上部蓋取付金具２４の先端部を該蓋体１４が該支点を回転中心として回転可能に枢着し、且つ、該上部蓋取付金具２４の下端部を架台２２上部に枢着した下部蓋取付金具２１の上端部に屈折可能に枢着した。【選択図】図１
2006192116.tif 000002
【特許請求の範囲】
【請求項１】
左右の架台間に釜体を前後方向へ回動自在に載架し、且つ、一方の架台に沿って給水管及び給湯管を床面から立上げて設けられており、他方の架台上部には蓋体が開閉自在に枢着されて成る調理釜において、前記蓋体の上面中心部に支点を設け、該支点に上部蓋取付金具の先端部を該蓋体が該支点を回転中心として回転可能に枢着し、且つ、該上部蓋取付金具の下端部を前記他方の架台上部に枢着した下部蓋取付金具の上端部に屈折可能に枢着したことを特徴とする調理釜における蓋取付装置。
【請求項２】
上記支点は、蓋体の略中心部に突設されたボルトにて形成され、該ボルトにフッ素樹脂系の合成樹脂製ワッシャを介して上記上部蓋取付金具の先端部を取付けたことを特徴とする請求項１記載の調理釜における蓋取付装置。
【請求項３】
上記支点を構成するボルトはカラー及び、スプリングワッシャを介して袋ナットにて螺合されたことを特徴とする請求項１又は２記載の調理釜における蓋取付装置。
【請求項４】
上記蓋体は中心部を平面部に形成され、該平面部に蓋回転金具を平面状に形成して該蓋回転金具を当接し、ボルト・ナットにて結合したことを特徴とする請求項１、２又は３記載の調理釜における蓋取付装置。
【請求項５】
上記上部蓋取付金具と下部蓋取付金具との枢着部は、上部蓋取付金具又は下部蓋取付金具の何れか一方に湾曲した長孔を設け、該長孔に沿って摺動できるピンを上部蓋取付金具又は下部蓋取付金具の何れか他方と一体に設けて該長孔に遊嵌させると共に、該上部蓋取付金具を下部蓋取付金具に対して上方垂直方向へ二折した状態に停止させるためのストッパーを設けたことを特徴とする請求項１、２、３又は４記載の調理釜における蓋取付装置。
【請求項６】
上記蓋体が開放されて釜体の外方へ立設されるとき、該上部蓋取付金具と下部蓋取付金具とが略直線状に延設して停止するためのストッパーを前記架台上部に配設したことを特徴とする請求項１、２、３、４又は５記載の調理釜における蓋取付装置。
【請求項７】
上記上部蓋取付金具には取手が取付けられていることを特徴とする請求項１、２、３、４、５又は６記載の調理釜における蓋取付装置。
【発明の詳細な説明】
【技術分野】
【０００１】
本発明は調理釜における蓋取付装置に関するものであり、特に、蓋の洗浄を人為によって効率良く実行できるようにした調理釜における蓋取付装置に関するものである。
【背景技術】
【０００２】
従来の此種調理釜を図１０に従って説明する。図において１は調理釜である。該調理釜は床ＦＬ上に左右の架台２Ｌ，２Ｒが立設されており、そして、双方の架台２Ｌ，２Ｒ間に釜体３が前後方向へ回動自在に載架されている。即ち、釜体３の左右両側には夫々回動軸４Ｌ，４Ｒが水平方向外方へ突設しており、この回動軸４Ｌ，４Ｒが架台２Ｌ，２Ｒに枢着している。
【０００３】
釜体３は内釜５と外釜６との二重構造に形成されており、外釜６の下部には燃焼室７が垂設されている。この燃焼室７にガスを供給するためのガス管８は外部から左側の架台２Ｌに接続し、且つ、左側の回動軸４Ｌの内腔を介して該回動軸４Ｌの下側部から延出するとともに、外釜６の左下外側面伝いに燃焼室７まで降下し、該燃焼室７内のバーナ９へ至っている。ここで、ガス管８が架台２Ｌから回動軸４Ｌの内腔へ連通する部分には自在ジョイント１０を介装してある。又、燃焼室７の前面にはノゾキ窓１１が設けられるとともに、該燃焼室７の前面右下から右斜め上方向へロッド１２が突設され、その先端にバーナ器具栓摘子１３が配設されている。該バーナ器具栓摘子１３は外釜６と燃焼室７との境界近傍に位置しており、この位置は丁度人の膝元付近の高さになるので操作が容易であるばかりでなく、燃焼室７から離間しているので火傷のおそれも少なくなる。
【０００４】
又、左側の架台２Ｌの上部には蓋体１４が開閉自在に枢着されており、該蓋体１４を起立させていくとその重心が枢着点を越えて若干外側へ偏った時点でロックされることになり、図示の如く該蓋体１４を釜体３の側方に略垂直状に立設した状態で維持できるように構成されている。又、該蓋体１４にはその前後方向両側に取手１５，１５が設けられており、該把手１５を把持して該蓋体１４の開閉操作が実行される。
【０００５】
又、右側の架台２Ｒは前後に２本の柱体１６，１６が対峙されて成り、該柱体１６，１６に梁材（図示せず）を架設し、そして、該柱体１６，１６の中間高さ付近に架設された梁材の上面中央に軸受１７が配設され、該軸受１７に前記回動軸４Ｒが嵌挿されるとともに、該回動軸４Ｒの先端は架台２Ｒの外方へ突出してその突出部にウォームギヤ１８が嵌着されている。又、該ウォームギヤ１８の上方には水平前後方向にシャフト（図示せず）が配設され、該シャフトの中間に刻設されたウォーム（図示せず）が前記ウォームギヤ１８に噛合しており、そして、該シャフトにハンドル１９が取り付けられ、該ハンドル１９を回すことにより前記釜体３を前後方向へ回動させることができるように構成されている。
【０００６】
又、右側の前記柱体１６，１６には夫々給水管及び給湯管（何れも図示せず）が沿設されており、そして、夫々の蛇口２０が該釜体３を正姿状態にしたとき、該釜体３の上面に位置して夫々の蛇口２０から釜体３内に熱湯や水を注入することができるように構成されている。（特許文献１参照）
【特許文献１】特許第３２６２７４４号公報  段落０００６乃至００１１（図１）  而して、上記従来例の前記蓋体１４は之を開蓋したときには、左側架台２Ｌと略直立状態に立設されてロックされることになる。そこで、該蓋体１４を作業員が手動にて洗浄する際には該蓋体１４の上方部までは手が届かず、従って、洗浄できない部分が残り、不衛生である。更に又、該蓋体１４の洗浄時には該蓋体１４は釜体３の外側部で洗浄されることになり、依って、床面に洗浄水が撒水されることになり、床面の乾燥状態が維持できなくなる。而して、床面が湿潤している場合は菌の増殖を促進させ極めて不衛生となるので、最近は床面を乾燥状態に維持するように行政指導が為されている。
【発明の開示】
【発明が解決しようとする課題】
【０００７】
上記従来例の欠陥に鑑み、之等を克服すべく調理釜の蓋体を効率良く洗浄でき、且つ、床面に洗浄水が撒水されないようにするために解決せられるべき技術的課題が生じるのであり、本発明は該課題を解決することを目的とする。
【課題を解決するための手段】
【０００８】
本発明は上記目的を達成するために提案されたものであり、請求項１記載の発明は左右の架台間に釜体を前後方向へ回動自在に載架し、且つ、一方の架台に沿って給水管及び給湯管を床面から立上げて設けられており、他方の架台上部には蓋体が開閉自在に枢着されて成る調理釜において、前記蓋体の上面中心部に支点を設け、該支点に上部蓋取付金具の先端部を該蓋体が該支点を回転中心として回転可能に枢着し、且つ、該上部蓋取付金具の下端部を前記他方の架台上部に枢着した下部蓋取付金具の上端部に屈折可能に枢着した調理釜における蓋取付装置を提供するものである。
【０００９】
この構成によれば、蓋体は上部蓋取付金具と下部蓋取付金具とは屈折自在に枢着されているので、この枢着部を介して上部蓋取付金具を上方垂直方向へ屈折すると共に、下部蓋取付金具はその下端部の枢着部を介して釜体側へ略水平に回動せしめて夫々固定しておくことができる。斯くして、蓋体は釜体の上面に略垂直に維持される。そこで、蓋体の中心部を回動支点として該蓋体を手動等により任意に回転させることができる。
【００１０】
請求項２記載の発明は上記支点は、蓋体の略中心部に突設されたボルトにて形成され、該ボルトにフッ素樹脂系の合成樹脂製ワッシャを介して上記上部蓋取付金具の先端部を取付けた調理釜における蓋取付装置を提供するものである。又、請求項３記載の発明は上記支点を構成するボルトはカラー及び、スプリングワッシャを介して袋ナットにて螺合されたことを特徴とする請求項１又は２記載の調理釜における蓋取付装置を提供するものである。
【００１１】
之等の構成によれば蓋体の回転中心の支点がボルト、袋ナットにて構成されているため、蓋体は袋ナットの緊締によって回転が阻止され、そして、袋ナットの弛緩によってスプリングワッシャの軽い押圧力を受けながら手動等により任意に回転できる。このとき、蓋体はフッ素樹脂系の合成樹脂製ワッシャを介して上部蓋取付金具に取付けられているため、蓋体の回転もスムーズに実行される。
【００１２】
請求項４記載の発明は上記蓋体は中心部を平面部に形成され、該平面部に蓋回転金具を平面状に形成して該蓋回転金具を当接し、ボルト・ナットにて結合した調理釜における蓋取付装置を提供するものである。
【００１３】
この構成によれば、蓋体の回転中心部は平面部に形成され、該平面部に蓋回転金具がボルト・ナットにて結合されているので蓋体の支持が保全され、回転もスムーズに実行される。
【００１４】
請求項５記載の発明は上記上部蓋取付金具と下部蓋取付金具との枢着部は、上部蓋取付金具又は下部蓋取付金具の何れか一方に湾曲した長孔を設け、該長孔に沿って摺動できるピンを上部蓋取付金具又は下部蓋取付金具の何れか他方と一体に設けて該長孔に遊嵌させると共に、該上部蓋取付金具を下部蓋取付金具に対して上方垂直方向へ二折した状態に停止させるためのストッパーを下部蓋取付金具の前記垂直部近傍に設けた調理釜における蓋
取付装置を提供するものである。
【００１５】
この構成によれば、上部蓋取付金具又は下部蓋取付金具の何れか一方に設けた長孔に他方に設けたピンを遊嵌しているので、上部蓋取付金具を下部蓋取付金具に対して直線状態及び二折状態に誘導することができる。又、上下直線状態に延設したときにはストッパーを介してその位置が保全される。
【００１６】
請求項６記載の発明は上記蓋体が開放されて釜体の外方へ立設されるとき、該上部蓋取付金具と下部蓋取付金具とが略直線状に延設して停止するためのストッパーを前記架台上部に配設した調理釜における蓋取付装置を提供するものである。
【００１７】
この構成によれば、下部蓋取付金具を架台上に立設するとき、該下部蓋取付金具は該架台上に突設されたストッパーに係止して略直立状態で停止し、之に伴って蓋体も上下垂直方向を維持して停止する。
【００１８】
請求項７記載の発明は上記上部蓋取付金具には取手が取付けられて成る調理釜における蓋取付装置を提供するものである。
【００１９】
この構成によれば取手が上部蓋取付金具に取付けられているので、取手を把持して蓋体の開閉動作が行われ、且つ、該取手はビス・ナットを用いて該上部蓋取付金具の側面に簡易に取付けられる。
【発明の効果】
【００２０】
請求項１記載の発明は蓋体を開放して洗浄するとき、該蓋体は上部蓋取付金具を下部蓋取付金具に対して二折した状態で釜体上面に垂設される。そこで、手動により蓋体を支点を回転中心として任意に回動させることにより、作業員は該蓋体のすべての個所に手が届くことになり、依って、蓋体の洗浄が効率良く実行されると共に、洗浄水は床面に撒水しないので床面の乾燥状態が維持され、菌の増殖を可及的に阻止することができて極めて衛生的となる。
【００２１】
請求項２記載の発明は、蓋体の回転支点がボルトにて形成され、且つ、該ボルトにフッ素樹脂系の合成樹脂製ワッシャを介して上部蓋取付金具の先端部を取付けるのであるから、請求項１記載の発明の効果に加え蓋体が該支点を介して効率良く回転できると共に、該蓋体は上部蓋取付金具に容易且つ、バランス良く取付けられることができる。
【００２２】
請求項３記載の発明は、上記支点を構成するボルトはカラー及びスプリングワッシャを介して袋ナットを螺合して蓋体に上部蓋取付金具を取付けるので、請求項１及び２記載の発明の効果に加え、蓋体を釜体に蓋装しているとは上記袋ナットを緊締して蓋体の揺動を阻止し、そして、蓋体を開放して洗浄する際には上記袋ナットを弛緩することによりスプリングワッシャの押圧力が弱くなって蓋体が上記支点を回転中心として適正に回転し、従って、手動による蓋体の洗浄操作が極めて円滑に実行されることができる。
【００２３】
請求項４記載の発明は、蓋体の中心部及び蓋回転金具が平面状に形成されて双方をボルト・ナットにて結合して成るので、請求項１、２、３記載の発明の効果に加え、蓋体の上部蓋取付金具に対する取付強度の保全及び上記支点を回転中心とする円滑なる回転が期待できる。
【００２４】
請求項５記載の発明は、上部蓋取付金具と下部蓋取付金具との枢着部は、片方に長孔が設けられ、他方に該長孔に遊嵌するピンが設けられて該ピンを該長孔に遊嵌している。依って、上記請求項１、２、３、４記載の発明の効果に加え該ピンは長孔に案内されて上部蓋取付金具と下部蓋取付金具とが略直線状又は直角状に折曲する動作を円滑に誘導し、そして、前記直角状の位置に形成されるストッパーに係合して停止し、その状態を維持することができる。
【００２５】
請求項６記載の発明は請求項１、２、３、４、５記載の発明の効果に加え、蓋体を釜体から開放して該釜体の外側へ移動させるとき、架台上にストッパーが設けられているので、蓋体の下端部がストッパーに係合して該下端部が停止するとともに、上方部は請求項５記載の発明のピンが上記長孔に案内され、そして、該蓋体が該下部蓋取付金具の上方へ略直立状態に延設されることができる。
【００２６】
請求項７記載の発明は取手が上部蓋取付金具に直接取付けられるので、該取手を把持して蓋体の開閉動作を行なうことができ、且つ、該取手が上部蓋取付金具に取付けられる関係上、蓋体自体に取付けられるのに比し部品点数が少なく、複雑な取付構造を必要としないので取付が容易であり、コスト的にも有利となる。
【発明を実施するための最良の形態】
【００２７】
調理釜の蓋体を効率良く洗浄でき、且つ、床面に洗浄水が撒水されないようにすると云う目的を、調理釜において蓋体の上面中心部に支点を設け、該支点に上部蓋取付金具の先端部を該蓋体が該支点を回転中心として回転可能に枢着し、且つ、該上部蓋取付金具の下端部を架台上部に枢着した下部蓋取付金具の上端部に屈折可能に枢着して成る調理釜における蓋取付装置を提供することにより実現した。
【実施例】
【００２８】
以下、本発明の好適な実施例を図１乃至図９に基づいて詳述する。尚、説明の都合上、従来例と共通する構成部分は同一符号を付してその説明を省略するものとする。
【００２９】
図１乃至図３において、調理釜１は左右の架台２Ｌ，２Ｒ間に釜体３が前後方向へ回動自在に載架されている。而して、図において左側の架台２Ｌ上には蓋体１４を支持する下部蓋取付金具２１が該架台２Ｌ上に立設されている基台２２に回動自在に枢着されている。該下部蓋取付金具２１は上方略垂直状態と、釜体３上面に近接して略水平方向へ回動して夫々固定できるように構成されている。該固定手段は特に限定せられるべきではないが上方垂直状態で固定される場合は、前記基台２２上に固設されているストッパー２３に後述の蓋体１４の下端部が係止して停止し、そして、該下部蓋取付金具２１と之に連結される上部蓋取付金具２４との連結手段（後述する）によって該上部蓋取付金具２４とともに下部蓋取付金具２１が前記基台２２上に略直立状態で静止することになる。
【００３０】
次に、前記下部蓋取付金具２１について説明する。該下部蓋取付金具２１の基端部は前述したように基台２２に回動自在に枢着されているのであるが、その先端部は円形膨拡部２５に形成され、そして、その中心部に上部蓋取付金具２４の基端部に開穿した軸孔２６に対峙して下部蓋取付金具２１側の軸孔２７を開穿し、双方の軸孔２６，２７に軸２８を挿通して下部蓋取付金具２１と上部蓋取付金具２４とを回動自在に枢着している。
【００３１】
又、該下部蓋取付金具２１の前記円形膨拡部２５には、前記上部蓋取付金具２４が図７に示すように、該下部蓋取付金具２１に対して略水平直線状位置或いは上方へ略直角状位置に回動するためのガイドとなるように略円弧形の長孔２９が設けられている。そこで、該長孔２９に遊嵌してガイドされるピン３０を前記軸２８に固設したアーム３１に突設し、そして、該ピン３０を前記長孔２９に遊嵌することにより該ピン３０が該長孔２９に沿って摺動して上下方向に移動し、そして、上部蓋取付金具２４が下部蓋取付金具２１に対して水平直線状の位置又は上方直角状の位置で停止するように該長孔２９の長さが設定されている。尚、前記軸２８と上部蓋取付金具２４とは一体的に連結されることにより、軸２８と共に前記長孔２９に沿って上下方向回動することができるが、この構成に限定せられるべきではない。即ち、上記上部蓋取付金具２４が前記軸２８を介して下部蓋取付金具２１に対して水平方向並びに直角方向に回動できる構成であればよい。
【００３２】
又、該上部蓋取付金具２４の下端面はアール形状部３２に形成され、該アール形状部３２に当接して該アール形状部３２をガイドするための突片３３が前記下部蓋取付金具２１の前記円形膨拡部２５の下端部左側に突設され、前記長孔２９と相俟って上部蓋取付金具２４の回動及び連結強度を助成している。又、該突片３３は上部蓋取付金具２４が前記アール形状部３２にガイドされて略直角状に移動してきた位置に該アール形状部３２の先端部に設けられている突部３２ａに係止して停止するように構成されている。
【００３３】
更に又、前述したように、該上部蓋取付金具２４を下部蓋取付金具２１に対して上方直角状に回動したとき、該位置を固定するために該上部蓋取付金具２４と下部蓋取付金具２１には夫々対峙する個所に開穿孔３４，３４が夫々設けられ、そして、上部蓋取付金具２４が下部蓋取付金具２１に対して上方直角状に回動してきたとき、前記各開穿孔３４，３４が合致することになるので、夫々の開穿孔３４，３４に固定ピン３５を嵌挿する。斯くして、上部蓋取付金具２４は上記二折状態（直角状）を維持して固定することになる。
【００３４】
次に、上部蓋取付金具２４に蓋体１４を取付ける手段について説明する。図８及び図９に示すように、上部蓋取付金具２４の先端部には溶接等の手段で取付板３６が固設されて凵字形を形成している。一方、円盤状の蓋回転金具３７の中心部にボルトの基部を嵌合するためのボルト取付孔３８を開穿し、該ボルト取付孔３８にボルト３９の基部を嵌合して溶接等の手段で該ボルト３９を該蓋回転金具３７の中心部から外方へ突設させている。該ボルト３９は前記取付板３６に設けたボルト挿通孔４０表面から突出させる。このとき、該蓋回転金具３７と前記取付板３６との間にはフッ素樹脂系の合成樹脂製板４１が介装されて蓋体１４の回転が円滑に実行されるように形成されている。そこで、取付板３６表面に突出している前記ボルト３９にはカラー４２及びスプリングワッシャ４３を介して袋ナット４４が螺合される。
【００３５】
一方、前記蓋体１４の中心部位は平面状部４５に形成され、そして、該平面状部４５表面に前記蓋回転金具３７をボルト・ナット等の結合手段４６，４６…によって強固に結合されている。従って、前記ボルト３９は平面状部４５の中心部において該蓋体１４と一体的に固設されたことになり該蓋体１４の開閉動作が円滑に実行され、且つ、該蓋体１４の取付強度も適正に保全される。
【００３６】
又、該蓋体１４の開閉動作を手動にて実行できるように略Ｌ形に形成された取手４７が上部蓋取付金具２４の側面にビス４８，４８及びナット４９，４９等の手段で取付けられている。従って、該取手４７の取付けが容易であり、且つ、取付けるための部品点数が極めて少なく、且つ、蓋体１４の開閉動作も容易円滑に実行されることができる。
【００３７】
本発明は上記構成により、蓋体１４を洗浄する場合は、前記取手４７を把持して該蓋体１４を釜体３より開放し乍ら、前記下部蓋取付金具２１と上部蓋取付金具２４との連結部において該上部蓋取付金具２４を該下部蓋取付金具２１に対して略上方へ直角状に折曲して該蓋体１４を釜体３上面において略垂直状に配置する。然る後、該蓋体１４の中心部に取付けてある前記ボルト３９の袋ナット４４を少々弛緩すれば、スプリングワッシャ４３の緩やかな弾性が負荷され乍ら該蓋体１４は手動により任意に回転する。然るときは、作業員は該蓋体１４のすべての個所に手が届くことになり、順調に該蓋体１４を洗浄することが可能となる。而も、該蓋体１４は釜体３の上面において洗浄されるので、洗浄水が床面に撒水することがなくなり、乾燥床面を維持して菌増殖を効率良く阻止することが可能となり、衛生面における行政指導に合致することになる。
【図面の簡単な説明】
【００３８】
【図１】本発明の一実施例を示し、調理釜の正面図。
【図２】図１の平面図であって、蓋体を開放した状態を示す。
【図３】釜体に蓋体を蓋装した状態の平面図。
【図４】下部蓋取付金具の正面図。
【図５】上部蓋取付金具の正面図。
【図６】下部蓋取付金具と上部蓋取付金具とを連結した状態を示す平面図。
【図７】図６の正面図。
【図８】蓋体に上部蓋取付金具を取付け、下部蓋取付金具を上部蓋取付金具に連結している状態を示す斜視図。
【図９】図８のＡ−Ａ線断面図。
【図１０】従来例の調理釜を示す正面図。
【符号の説明】
【００３９】
１          調理釜
２Ｌ        左側の架台
２Ｒ        右側の架台
３          釜体
４Ｌ        左側の回動軸
４Ｒ        右側の回動軸
１４          蓋体
２１          下部蓋取付金具
２２          基台
２３          ストッパー
２４          上部蓋取付金具
２５          円形膨拡部
２６          軸孔
２７          軸孔
２８          軸
２９          長孔
３０          ピン
３１          アーム
３２          アール形状部
３３          突片
３４          開穿孔
３５          固定ピン
３６          取付板
３７          蓋回転金具
３８          ボルト取付孔
３９          ボルト
４０          ボルト挿通孔
４１          フッ素樹脂系の合成樹脂製板
４２          カラー
４３          スプリングワッシャ
４４          袋ナット
４５          平面状部
４６          ボルト・ナット等の結合手段
４７          取手
４８          ビス
４９          ナット
【図１】
2006192116.tif 000003
【図２】
2006192116.tif 000004
【図３】
2006192116.tif 000005
【図４】
2006192116.tif 000006
【図５】
2006192116.tif 000007
【図６】
2006192116.tif 000008
【図７】
2006192116.tif 000009
【図８】
2006192116.tif 000010
【図９】
2006192116.tif 000011
【図１０】
2006192116.tif 000012